(57)【要約】【課題】  入力される映像信号の垂直ライン数が変化した際、表示画面に残像が発生するのを防止することを目的とする。【解決手段】  アナログ映像信号から単位フレームの垂直ライン数を計測し、計測した垂直ライン数を基準垂直ライン数と比較することによって、垂直ライン数が基準垂直ライン数と異なる場合、単位フレームを構成するフィールドのサイズを変換し、フィールドのサイズが変換された単位フレームを画面表示する。【選択図】  図４
2005309298.tif 000002
【特許請求の範囲】
【請求項１】
アナログ映像信号からデジタル化された信号を画像処理する画像処理手段と、
前記画像処理された画像データを格納する記憶手段と、
前記アナログ映像信号における単位フレームの垂直ライン数を計測する計測手段と、
計測された前記垂直ライン数を基準垂直ライン数と比較する比較手段と、
前記単位フレームを構成するフィールドのサイズを変換する可変手段と、
前記フィールドのサイズが変換された前記単位フレームに基づき、前記画像データを表示部に送出する送出手段とを
有することを特徴とする映像信号制御用装置。
【請求項２】
アナログ映像信号からデジタル化された信号を画像処理する画像処理手段と、
前記画像処理された画像データを格納する記憶手段と、
前記アナログ映像信号における単位フレームの垂直ライン数を計測する計測手段と、
計測された前記垂直ライン数を基準垂直ライン数と比較する比較手段と、
前記単位フレームのフィールドが不足する領域に所定の色を挿入する挿入色指定手段と、
色が挿入された前記単位フレームに基づき、前記画像データを表示部に送出する送出手段とを
有することを特徴とする映像信号制御用装置。
【請求項３】
アナログ映像信号からデジタル化された信号を画像処理する画像処理手段と、
前記画像処理された画像データを格納する記憶手段と、
前記アナログ映像信号から単位フレームの垂直ライン数を計測する計測手段と、
計測された前記垂直ライン数を基準垂直ライン数と比較する比較手段と、
前記単位フレームのフィールドに所定の背景色を設置する背景色指示手段と、
前記背景色に前記単位フレームの前記画像データを重ね合わせる重畳手段と、
背景色を有する前記単位フレームに基づき、前記画像データを表示部に送出する送出手段とを
有することを特徴とする映像信号制御用装置。
【請求項４】
デジタルテレビ受像装置に使用される映像信号制御方法であって、
アナログ映像信号からデジタル化された信号を画像処理する画像処理ステップと、
前記画像処理された画像データを格納するステップ手段と、
前記アナログ映像信号における単位フレームの垂直ライン数を計測する計測ステップと、
計測された前記垂直ライン数を基準垂直ライン数と比較する比較ステップと、
前記単位フレームを構成するフィールドのサイズを変換する可変ステップと、
前記フィールドのサイズが変換された前記単位フレームに基づき、前記画像データを表示部に送出する送出ステップとを
有することを特徴とする映像信号制御方法。
【請求項５】
前記比較ステップを複数回実施後、前記可変ステップを実施することを特徴とする請求項４に記載の映像信号制御方法。
【発明の詳細な説明】
【技術分野】
【０００１】
本発明は、映像信号制御用装置及び映像信号制御方法に関する。
【背景技術】
【０００２】
アナログの映像信号をデジタルテレビ受像装置で扱う場合、アナログ信号をデジタル信号に変換し、そのデジタル信号を処理して、表示部へ送信し、画面表示する。
【０００３】
しかし、入力されるアナログの映像信号の信号源が、例えばビデオテープレコーダから入力される場合、そのビデオテープレコーダの映像再生機能により、標準信号とは異なる同期信号を伴ってデジタルテレビ受像装置へ映像信号が入力される場合がある。
【０００４】
このような場合、デジタルテレビ受像装置のデジタル信号を処理する回路に入力される映像信号の垂直ライン数が変化する場合がある。その際、表示画面ごとの画像がすべて更新されず、表示画面に出力される画像が、例えばその画像及びその画像の１画面前の画像の一部が組み合わされた画像として表示部において処理され、１画面前の画像の一部が残像として表示画面に表示される場合がある。
【０００５】
これに対し、そのような現象をさけるために、例えばデジタルスチールカメラにおいては、入力される垂直ライン数が変化する場合、そのデジタル信号を処理する回路の更に後段に回路を設け、その後段の回路へ信号を回す経路を確保するという複雑な方法が提案されている（例えば、特許文献１参照。）。
【特許文献１】特開２００３―２３４９７９号公報  （第１３ページ、第５図）
【発明の開示】
【発明が解決しようとする課題】
【０００６】
本発明は、デジタルテレビ受像装置に入力されるアナログ映像信号の垂直ライン数が変化した際、デジタルテレビ受像装置の表示画面に残像が発生するのを防止することを目的とする。
【課題を解決するための手段】
【０００７】
上記の課題を解決するため、本発明の第１の態様は映像信号制御用装置であって、アナログ映像信号からデジタル化された信号を画像処理する画像処理手段と、前記画像処理された画像データを格納する記憶手段と、前記アナログ映像信号における単位フレームの垂直ライン数を計測する計測手段と、計測された前記垂直ライン数を基準垂直ライン数と比較する比較手段と、前記単位フレームを構成するフィールドのサイズを変換する可変手段と、前記フィールドのサイズが変換された前記単位フレームに基づき、前記画像データを表示部に送出する送出手段とを有することを特徴とする。
【０００８】
また、本発明の第２の態様は映像信号制御用装置であって、アナログ映像信号からデジタル化された信号を画像処理する画像処理手段と、前記画像処理された画像データを格納する記憶手段と、前記アナログ映像信号における単位フレームの垂直ライン数を計測する計測手段と、計測された前記垂直ライン数を基準垂直ライン数と比較する比較手段と、前記単位フレームのフィールドが不足する領域に所定の色を挿入する挿入色指定手段と、色が挿入された前記単位フレームに基づき、前記画像データを表示部に送出する送出手段とを有することを特徴とする。
【０００９】
また、本発明の第３の態様は映像信号制御用装置であって、アナログ映像信号からデジタル化された信号を画像処理する画像処理手段と、前記画像処理された画像データを格納する記憶手段と、前記アナログ映像信号から単位フレームの垂直ライン数を計測する計測手段と、計測された前記垂直ライン数を基準垂直ライン数と比較する比較手段と、前記単位フレームのフィールドに所定の背景色を設置する背景色指示手段と、前記背景色に前記単位フレームの前記画像データを重ね合わせる重畳手段と、背景色を有する前記単位フレームに基づき、前記画像データを表示部に送出する送出手段とを有することを特徴とする。
【００１０】
また、本発明の第４の態様は映像信号制御方法であって、デジタルテレビ受像装置に使用される映像信号制御方法であって、アナログ映像信号からデジタル化された信号を画像処理する画像処理ステップと、前記画像処理された画像データを格納するステップ手段と、前記アナログ映像信号における単位フレームの垂直ライン数を計測する計測ステップと、計測された前記垂直ライン数を基準垂直ライン数と比較する比較ステップと、前記単位フレームを構成するフィールドのサイズを変換する可変ステップと、前記フィールドのサイズが変換された前記単位フレームに基づき、前記画像データを表示部に送出する送出ステップとを有することを特徴とする。
【発明の効果】
【００１１】
本発明によれば、デジタルテレビ受像装置に入力されるアナログ映像信号の垂直ライン数が変化した際、そのフィールドのサイズを可変にすることにより、デジタルテレビ受像装置の表示画面に残像が発生するのを防止することができる。
【発明を実施するための最良の形態】
【００１２】
以下、図面を参照して本発明の実施例を説明する。
【実施例１】
【００１３】
本発明における第１の実施例である映像信号制御用装置におけるブロック構成図を図１に示す。映像信号制御用装置は一般に半導体集積回路装置として構成される。映像信号制御用半導体装置１０、Ａ／Ｄ変換回路１５及び表示部１４は、図示しないデジタルテレビ受像装置の内部に設置されている。
【００１４】
デジタルテレビ受像装置はデジタル放送を受信する機能として、例えば衛星受信アンテナ（図示せず）からのデジタル映像信号を受信し、チューニング、検波等の所定の処理を行った後、映像信号制御用半導体装置１０ａへ送られ、ＭＰＥＧデコード回路１１において画像圧縮等を行う。
【００１５】
更に、画像圧縮等の処理を受けた画像データは、フィールド単位の画像データに変換され、メモリ回路１２に書き込まれ記憶される。次に、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、最終的に、表示部１４において画面表示する。
【００１６】
一方、本実施例のデジタルテレビ受像装置においては、従来から利用されている、例えばＶＨＦアンテナ（図示せず）、或いはビデオカセットレコーダ等からのアナログ映像信号の入力にも対応する。
【００１７】
ＶＨＦアンテナ或いはビデオカセットレコーダ等から入力されたアナログ映像信号は、Ａ／Ｄ変換回路１５によりデジタル信号に変換され、映像信号制御用半導体装置１０内の画像処理回路１６へ送られる。また、入力されたアナログ映像信号の同期信号と、デジタルテレビ受像装置の内部で生成された基準クロック信号をもとに、映像信号制御用半導体装置１０における同期回路１７は入力された同期信号から水平期間をカウントし、水平同期信号を生成する。更に、この水平同期信号を基準に、垂直ライン数をカウントし、垂直期間を示す垂直同期信号を生成する。
【００１８】
この垂直同期信号と、外部から入力されたアナログ映像信号とを同期させるため、垂直同期信号を生成する同期回路１７においては、外部から入力された同期信号によってリセットをかけ、このリセットをかけたタイミングで基準時間を決定し、メモリ回路１２が画像データを取り込むべきタイミングを指示するタイミング信号を生成し、その信号を画像処理回路１６へ送る。画像処理回路１６が、Ａ／Ｄ変換回路１５によりデジタル化された信号を画像データとして処理し、上記のタイミングに合わせてメモリ回路１２へフィールド単位で書き込み、メモリ回路１２において記憶する。
【００１９】
また、同期回路１７は、これらの同期信号をライン数検出回路１８へ送出し、ライン数検出回路１８は、メモリ回路１２へ書き込まれる画像データの垂直ライン数を計測する。ライン数検出回路１８によって検出された垂直ライン数のデータは第１のマイクロコンピュータ１９に送られ、第１のマイクロコンピュータ１９は、それをもとに画像処理回路１６及びフォーマット変換回路１３へ画像データの制御命令を送る。
【００２０】
その後の動作は先に述べたデジタル映像信号を処理する過程と同様であり、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、最終的に、表示部１４において画面表示する。
【００２１】
例えば、デジタルテレビ受像装置への外部からの入力信号が、ビデオカセットレコーダから出力される場合を考える。図２のチャート図に示すように、標準再生モードでは垂直同期信号は所定のタイミングで発生する。一方、高速再生モード或いは巻き戻しモードでは、その垂直同期信号にずれが生じる。
【００２２】
デジタル方式を基本とし、アナログ映像信号にも対応するデジタルテレビ受像装置において、標準再生時の垂直同期信号と異なるサイクルでアナログ映像信号が入力された場合、次のような問題が生じる。即ち、メモリ回路へ画像データを一旦書き込むということから、１フレーム前の画面の一部が更新されず、残像として画面表示される場合がある。
【００２３】
特に、高速再生モードのように垂直同期信号が短くなる場合、外部から入力される垂直同期期間が短いために、通常の垂直同期期間よりも少ない垂直ライン数でリセットがかかり、新たな画像データが取り込まれる。このとき、１フレーム前の画面の比較的後半部が更新されずに、残像として画面表示される。
【００２４】
一方、逆に、巻き戻しモードのように、垂直同期信号が長くなった場合、標準の垂直期間でも書き込みのリセットが入るため、例えば１フィールドおきに、少ないライン数の表示画面となる。
【００２５】
本実施例では、実際に取り込まれたフレームの垂直ライン数をライン数検出回路１８で計測し、その数を第１のマイクロコンピュータ１９で基準垂直ライン数と比較する。その数が基準垂直ライン数から変化した場合、表示するべき範囲をフォーマット変換回路によってフィールドサイズを変換することによって制御し、常に更新された画像データだけを画面表示する。図３にその様子を模式図として示す。
【００２６】
例えば、標準の場合、メモリ回路に入力された画像データがメモリ領域におけるＨ００１からＨＥ０１まで格納されている。これを表示部における表示画面にフルに表示できるように、フォーマット変換回路によりフレームのサイズが設定されている。メモリ回路に入力される次の画像データは通常同じメモリ容量であり、フォーマット変換回路のフレームのサイズ設定を変える必要はない。
【００２７】
一方、このメモリ回路に入力された垂直ライン数が例えば減少し、メモリ領域におけるＨ００１からＨＣ０１までに画像データが減少して格納された場合の対応として、フォーマット変換回路でのフレームサイズ設定を可変にすることが本実施例の特徴である。
【００２８】
即ち、入力される画像の垂直ライン数をライン数検出回路で計測し、第１のマイクロコンピュータへ送る。第１のマイクロコンピュータはその垂直ライン数を基準垂直ライン数と比較し、その数が例えば減少した場合、内蔵されているプログラムからフレームを構成するフィールドのサイズを変える指示を読み取り、その画像データにスケーリングをかけるようにフォーマット変換回路に指示を送る。指示を受けたフォーマット変換回路は画像データのスケーリングを行い、フィールドのサイズを大きくし、表示部にフルに画面表示されるように制御する。なお、画像データが増加した場合にも対応できることは勿論である。
【００２９】
このとき、垂直ライン数の変化を、１フィールド単位で行うと、例えばビデオカセットレコーダのテープにキズがあった場合など、誤検出してしまうことが考えられる。このため、所定のフィールド数、継続して垂直ライン数の変化を検知した後、第１のマイクロコンピュータが指示を出しても良い。
【００３０】
例えば、１０フィールド期間続いた場合、フォーマット変換回路は画像データのスケーリングをスケーリングする。また、例えばビデオカセットレコーダの使用を考えて、この垂直ライン数の継続チェックは、特殊モードになったときも，標準再生になったときも同じにする、或いは、標準再生になったときは、特殊モードへ移行するときよりも短くする等、種々の方式を用いることができる。
【００３１】
図４に本実施例のプログラムフローを示し、図１も参照しながら説明する。
【００３２】
例えば、ビデオカセットレコーダから入力されたアナログ映像信号は、Ａ／Ｄ変換回路１５によりＡ／Ｄ変換処理（Ｓ１１）を受け、デジタル信号に変換される。また、同期回路１７から所定のタイミングを取るための同期信号及びタイミング信号が生成される（Ｓ１４）。タイミング信号は画像処理回路１６へ送られ、そのタイミングに合わせて画像処理（Ｓ１２）が行われ、デジタル化された画像データがメモリ回路１２へ記憶される（Ｓ１３）。
【００３３】
この時、メモリ回路１２へ書き込まれる画像データの垂直ライン数をライン数検出回路１８において計測し（Ｓ１５）、ライン数検出回路１８がライン数のデータを第１のマイクロコンピュータ１９へ通知する（Ｓ１６）。第１のマイクロコンピュータ１９はフレームごとの垂直ライン数を基準垂直ライン数と比較し（Ｓ１７）、その変化がない場合、フレームを構成するフィールドのサイズはそのまま継続するように、フォーマット変換回路１３へ指示する（Ｓ１９）。
【００３４】
一方、垂直ライン数に変化が生じた場合、第１のマイクロコンピュータ１９は内蔵するフィールドのサイズを可変にするプログラムを読み取り、フィールドのサイズを算出し（Ｓ１８）、そのサイズの変更をフォーマット変換回路１３に指示する（Ｓ２０）。
【００３５】
指示を受けたフォーマット変換回路１３は、メモリ回路１２から画像データを読み出し（Ｓ２１）、画像データのスケーリングを行い、表示画面におけるフィールドのサイズを指定する（Ｓ２２）。その指定されたフィールドのサイズによって、表示部１４に画面表示が行われる（Ｓ２３）。
【００３６】
以上に述べたように、画像データを画面表示のデータへ変換する際に、その変換におけるフィールドのサイズの大きさを可変にし、表示画面に残像が残らないようにすることができる。
【００３７】
また、例えば、ビデオカセットレコーダにおける早送り或いは巻き戻しなどの高速再生により、入力信号に変化があった場合においても、表示画面に残像が残らないようにすることができる。
【００３８】
更に、ビデオカセットレコーダにおいて、磁気テープの劣化による垂直ライン数の減少変化が生じた場合においても、残像を取り込むことなく、常に更新された画像を表示することが可能である。
【００３９】
更に、接続されたビデオカセットレコーダの機種による高速再生速度の違いによる垂直ライン数の減少の変化にも対応が可能である。
【実施例２】
【００４０】
本発明における第２の実施例である映像信号制御用装置におけるブロック構成図を図５に示す。映像信号制御用半導体装置１０ａ、Ａ／Ｄ変換回路１５及び表示部１４は、図示しないデジタルテレビ受像装置の内部に設置されている。
【００４１】
本実施例では、入力される画像の垂直ライン数の検出を行い、垂直ライン数が基準垂直ライン数より少ない場合は、最終の垂直ライン以降を画像無しとして、その部分は指定色を出力するように色指定回路を設けることを特徴としている。他の機能は基本的に第１の実施例と同じである。
【００４２】
デジタルテレビ受像装置はデジタル放送を受信する機能として、例えば衛星受信アンテナ（図示せず）からのデジタル映像信号を受信し、チューニング、検波等の所定の処理を行った後、映像信号制御用半導体装置１０ａへ送られ、ＭＰＥＧデコード回路１１において画像圧縮等を行う。
【００４３】
更に、画像圧縮等の処理を受けた画像データは、フィールド単位の画像データに変換され、メモリ回路１２に書き込まれ、記憶される。次に、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、最終的に、表示部１４において画面表示する。
【００４４】
一方、本実施例のデジタルテレビ受像装置においては、従来から利用されている、例えばＶＨＦアンテナ（図示せず）、或いはビデオカセットレコーダ等からのアナログ映像信号の入力にも対応する。
【００４５】
ＶＨＦアンテナ或いはビデオカセットレコーダ等から入力されたアナログ映像信号は、Ａ／Ｄ変換回路１５によりデジタル信号に変換され、映像制御用半導体装置１０ａ内の画像処理回路１６へ送られる。また、入力されたアナログ映像信号の同期信号と、デジタルテレビ受像装置の内部で生成された基準クロック信号をもとに、映像制御用半導体装置１０ａにおける同期回路１７は入力された同期信号から水平期間をカウントし、水平同期信号を生成する。更に、この水平同期信号を基準に、垂直ライン数をカウントし、垂直期間を示す垂直同期信号を生成する。
【００４６】
この垂直同期信号と、外部から入力されたアナログ映像信号とを同期させるため、垂直同期信号を生成する同期回路１７においては、外部から入力された同期信号によってリセットをかけ、このリセットをかけたタイミングで基準時間を決定し、メモリ回路１２が画像データを取り込むべきタイミングを指示するタイミング信号を生成し、その信号を画像処理回路１６へ送る。画像処理回路１６が、Ａ／Ｄ変換回路１５によりデジタル化された信号を画像データとして処理し、上記のタイミングに合わせてメモリ回路１２へフィールド単位で書き込み、メモリ回路１２で記憶する。
【００４７】
また、同期回路１７は、これらの同期信号をライン数検出回路１８へ送出し、ライン数検出回路１８は、メモリ回路１２へ書き込まれる画像データの垂直ライン数を計測する。ライン数検出回路１８によって検出された垂直ライン数のデータは第２のマイクロコンピュータ１９ａに送られ、第２のマイクロコンピュータ１９ａは、それをもとに画像処理回路１６、色指定回路１３ａ及びフォーマット変換回路１３へ画像データの制御命令を送る。
【００４８】
図６に色指定回路１３ａのブロック構成図を示す。フォーマット変換回路１３の前段に指定の色を入力するようにセレクタ２２を設け、比較器２１に第２のマイクロコンピュータ１９ａから指定した垂直ライン数を入力しておき、同期回路１７からの信号値と一致した場合、セレクタを切り替えて色指定用メモリ回路２３から所定の色を出力させる。なお、色指定用メモリ回路２３は第２のマイクロコンピュータ１９ａ内に設けられていても良い。
【００４９】
その後の動作は先に述べたデジタル映像信号を処理する過程と同様であり、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、最終的に、表示部１４において画面表示する。
【００５０】
図７に本実施例における画像データと表示画面との関連を模式図として示す。本実施例では、画面データが存在しない表示画面部分を指定色部として、指定した所定の色によって表示し、表示画面に前画面の残像が表示されないようにする。
【００５１】
例えば、標準の場合、メモリ回路１２に入力された画像データがメモリ領域におけるＨ００１からＨＥ０１まで格納されている。これを表示部における表示画面にフルに表示できるように、フォーマット変換回路によりフレームのサイズが設定されている。メモリ回路に入力される次の画像データは通常同じメモリ容量であり、フォーマット変換回路のフレームのサイズ設定等の形式も変える必要はない。
【００５２】
一方、垂直ライン数が変化し、このメモリ回路１２に入力された画像データが、例えばメモリ領域におけるＨ００１からＨＣ０１まで減少して格納された場合は以下のように対応する。
【００５３】
即ち、入力される画像の垂直ライン数をライン数検出回路１８で計測し、第２のマイクロコンピュータ１９ａへ送る。第２のマイクロコンピュータ１９ａはその垂直ライン数を基準垂直ライン数と比較し、Ｈ００１からＨＣ０１まで、画像データが減少した分について、内蔵されているプログラムから色指定部を形成する指示を読み取り、その領域を塗り潰すように色指定回路１３ａに指示を送る。指示を受けた色指定回路１３ａは所定の色を表示画面に表示するように制御する。
【００５４】
図８に本実施例のプログラムフロー図を示し、図５も参照しながら説明する。
【００５５】
ビデオカセットレコーダから入力されたアナログ映像信号は、Ａ／Ｄ変換回路１５によりＡ／Ｄ変換処理（Ｓ１１）を受け、デジタル信号に変換される。また、同期回路１７から所定のタイミングを取るための同期信号及びタイミング信号が生成される（Ｓ１４）。タイミング信号は画像処理回路１６へ送られ、そのタイミングに合わせて画像処理（Ｓ１２）が行われ、デジタル化された画像データがメモリ回路１２へ記憶される（Ｓ１３）。
【００５６】
この時、メモリ回路１２へ書き込まれる画像データの垂直ライン数をライン数検出回路１８において計測し（Ｓ１５）、ライン数検出回路１８が垂直ライン数のデータを第２のマイクロコンピュータ１９ａへ通知する（Ｓ１６）。第２のマイクロコンピュータ１９ａはフレームごとの垂直ライン数を基準垂直ライン数と比較し（Ｓ１７）、その変化がない場合、フレームを構成するフィールドのサイズはそのまま継続するように、フォーマット変換回路１３へ指示する（Ｓ２０）。
【００５７】
一方、垂直ライン数に変化が生じた場合、第２のマイクロコンピュータ１９ａの指示によって、色指定回路１３ａは非表示画面となる領域を識別し（Ｓ２８）、その非表示画面となる領域の色を指定する（Ｓ２９）。
【００５８】
指示を受けたフォーマット変換回路１３は、メモリ回路１２から画像データを読み出す（Ｓ２１）。この場合、画面が表示されない部分は指定された色が設定され（Ｓ２２）、表示部１４に画面表示が行われる（Ｓ２３）。
【００５９】
以上に述べたように、画像データを画面表示のデータへ変換する際に、画像データが表示されない領域を指定された色で塗り潰すことにより、表示画面に残像が残らないようにすることができる。
【００６０】
また、例えば、ビデオカセットレコーダにおける早送り或いは巻き戻しなどの高速再生により、入力信号に変化があった場合においても、表示画面に残像が残らないようにすることができる。
【００６１】
更に、ビデオカセットレコーダにおいて、磁気テープの劣化による垂直ライン数の減少変化が生じた場合においても、残像を取り込むことなく、常に更新された画像を表示することが可能である。
【００６２】
更に、接続されたビデオカセットレコーダの機種による高速再生速度の違いによる垂直ライン数の減少の変化にも対応が可能である。
【実施例３】
【００６３】
本発明における第３の実施例である映像信号制御用装置におけるブロック構成図を図９に示す。映像信号制御用半導体装置１０ｂ、Ａ／Ｄ変換回路１５及び表示部１４は、図示しないデジタルテレビ受像装置の内部に設置されている。
【００６４】
本実施例では、背面色を出力する機構を用いて、背面色を表示、その上に所定の画像を表示させる方法について述べる。通常、背面色は画面に現れないが、例えば、ビデオカセットレコーダの高速再生モードのように、垂直ライン数が基準垂直ライン数よりも減少した場合、例えば、画面の上下を空けるように表示し、空いた画面領域は背面色によって埋め、残像を表示せず、かつ、画像を間延びさせず画面表示かできる。
【００６５】
デジタルテレビ受像装置はデジタル放送を受信する機能として、例えば衛星受信アンテナ（図示せず）からのデジタル映像信号を受信し、チューニング、検波等の所定の処理を行った後、映像信号制御用半導体装置１０ｂへ送られ、ＭＰＥＧデコード回路１１において画像圧縮等を行う。
【００６６】
更に、画像圧縮等の処理を受けた画像データは、フィールド単位の画像データに変換され、メモリ回路１２に書き込まれ、記憶される。次に、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、最終的に、表示部１４において画面表示する。
【００６７】
一方、本実施例のテレビ受像装置においては、従来から利用されている、例えばＶＨＦアンテナ（図示せず）、或いはビデオカセットレコーダ等からのアナログ映像信号の入力にも対応する。
【００６８】
ＶＨＦアンテナ或いはビデオカセットレコーダ等から入力されたアナログ映像信号は、Ａ／Ｄ変換回路１５によりデジタル信号に変換され、映像制御用半導体装置１０ｂ内の画像処理回路１６へ送られる。また、入力されたアナログ映像信号の同期信号と、テレビ受像装置の内部で生成された基準クロック信号をもとに、映像制御用半導体装置１０ｂにおける同期回路１７は入力された同期信号から水平期間をカウントし、水平同期信号を生成する。更に、この水平同期信号を基準に、垂直ライン数をカウントし、垂直期間を示す垂直同期信号を生成する。
【００６９】
この垂直同期信号と、外部から入力されたアナログ映像信号とを同期させるため、垂直同期信号を生成する同期回路１７においては、外部から入力された同期信号によってリセットをかけ、このリセットをかけたタイミングで基準時間を決定し、メモリ回路１２が画像を取り込むべきタイミングを指示するタイミング信号を生成し、その信号を画像処理回路１６へ送る。画像処理回路１６が、Ａ／Ｄ変換回路１５によりデジタル化された信号を画像データとして処理し、上記のタイミングに合わせてメモリ回路１２へフィールド単位で書き込む。
【００７０】
また、同期回路１７は、これらの同期信号をライン数検出回路１８へ送出し、ライン数検出回路１８は、メモリ回路１２へ書き込まれる画像データの垂直ライン数を計測する。ライン数検出回路１８によって検出された垂直ライン数のデータは第３のマイクロコンピュータ１９ｂに送られ、第３のマイクロコンピュータ１９ｂは、それをもとに画像処理回路１６、フォーマット変換回路１３及び重ね合わせ回路１３ｂへ画像データの制御命令を送る。
【００７１】
図１０に重ね合わせ回路１３ｂと第３のマイクロコンピュータ１９ｂのブロック構成図を示す。ライン検出回路１８からの垂直ライン数のデータを受けて、第３のマイクロコンピュータ１９ｂ内のＣＰＵ１９ｃが背景色と画像との重ね合わせを指示し、重ね合わせ回路１３ｂは背景色用メモリ回路１９ｄから所定の背景色を引き出す。
【００７２】
その後の動作は先に述べたデジタル映像信号を処理する過程と同様であり、メモリ回路１２に書き込まれた画像データを、フォーマット変換回路１３に読み出し、フォーマット変換回路１３において、例えば、液晶ディスプレイ等の表示部１４へ入力する水平画素数及び垂直ライン数等を指定し、変換処理を行い、重ね合わせ回路１３ｂで背景色に重ね合わし、最終的に、表示部１４において画面表示する。
【００７３】
図１１に本実施例における画像データと表示画面との関連を模式図として示す。本実施例では、画面データが存在しない表示画面部分を背景色で補充する。
【００７４】
例えば、標準動作の場合、メモリ回路１２に入力された画像データがメモリ領域におけるＨ００１からＨＥ０１まで格納されている。これを表示部における表示画面にフルに表示できるように、フォーマット変換回路１３によりフレームのサイズが設定されている。メモリ回路１２に入力される次の画像データは通常同じメモリ容量であり、フォーマット変換回路のフレームのサイズ設定等の形式も変える必要はない。
【００７５】
一方、垂直ライン数が、例えば減少し、このメモリ回路１２に入力された画像データが、例えばメモリ領域におけるＨ００１からＨＣ０１まで減少して格納された場合、以下のように対応する。
【００７６】
即ち、入力される画像の垂直ライン数をライン数検出回路１８で計測し、第３のマイクロコンピュータ１９ｂへ送る。第３のマイクロコンピュータ１９ｂはその垂直ライン数を基準垂直ライン数と比較し、Ｈ００１からＨＣ０１まで、画像データが減少した分について、内蔵されているプログラムからその画像が配置される画面表示の指示を読み取り、例えば、画面の上下部を除いて配置する。表示画面の全体には背景色が表示されるように重ね合わせ回路が背景色用メモリ回路１９ｄから所定の色を選択し、フォーマット変換回路１３からの画像データを、例えば表示画面の中央に配置する。
【００７７】
図１２に本実施例のプログラムフロー図を示し、図９も参照しながら説明する。
【００７８】
ビデオカセットレコーダから入力されたアナログ映像信号は、Ａ／Ｄ変換回路１５によりＡ／Ｄ変換処理（Ｓ１１）を受け、デジタル信号に変換される。また、同期回路１７から所定のタイミングを取るための同期信号及びタイミング信号が生成される（Ｓ１４）。タイミング信号は画像処理回路１６へ送られ、そのタイミングに合わせて画像処理（Ｓ１２）が行われ、デジタル化された画像データがメモリ回路１２へ記憶される（Ｓ１３）。
【００７９】
この時、メモリ回路１２へ書き込まれる画像データの垂直ライン数をライン数検出回路１８において計測し（Ｓ１５）、ライン数検出回路１８が垂直ライン数のデータを第３のマイクロコンピュータ１９ｂへ通知する（Ｓ１６）。第３のマイクロコンピュータ１９ｂはフレームごとの垂直ライン数を基準垂直ライン数と比較し（Ｓ１７）、その変化がない場合、フレームを構成するフィールドのサイズはそのまま継続するように、フォーマット変換回路１３へ指示する（Ｓ２０）。
【００８０】
一方、垂直ライン数に変化が生じた場合、第３のマイクロコンピュータ１９ｂの指示によって、重ね合わせ回路１３ｂは表示画面の領域を設定し（Ｓ３８）、更に、画面の背景色を指定する（Ｓ３９）。
【００８１】
第３のマイクロコンピュータ１９ｂより指示を受けたフォーマット変換回路１３は、メモリ回路１２から画像データを読み出す（Ｓ２１）。重ね合わせ回路１３ｂにおいて、所定の表示形式に設定し（Ｓ２２）、表示部１４に画面表示が行われる（Ｓ２３）。
【００８２】
以上に述べたように、背景色を設定し、その上に画像データを重ね合わせることにより、表示画面での残像発生を防止することができる。
【００８３】
また、例えば、ビデオカセットレコーダにおける早送り或いは巻き戻しなどの高速再生により、入力信号に変化があった場合においても、表示画面に残像が残らないようにすることができる。
【００８４】
更に、ビデオカセットレコーダにおいて、磁気テープの劣化による垂直ライン数の減少変化が生じた場合においても、残像を取り込むことなく、常に更新された画像を表示することが可能である。
【００８５】
更に、接続されたビデオカセットレコーダの機種による高速再生速度の違いによる垂直ライン数の減少の変化にも対応が可能である。
【００８６】
なお、本発明は上述した実施形態に何ら限定されるものではなく、本発明の主旨を逸脱しない範囲内で種々変更して実施することができる。
【００８７】
例えば、垂直ライン数が変化した場合、直ぐに残像が残らないように対応を実施すると、表示画面が変化を続ける可能性がある。そこで、変化量が少ない場合には、一定時間計測し、その一定時間同じ垂直ライン数が続けば、画面を変更する方法を取っても良い。
【００８８】
例えば、変化量が大きい場合には、一定時間計測した後、変更し、その後は更に長い時間計測し、変化量が小さい場合にもとの垂直ライン数にする。
【００８９】
また、垂直ライン数の変化幅が比較的大きく変化する場合、或いは一定時間計測しても安定した値にならない場合等は、映像信号として扱わず、映像を映し出さないことによって、残像による表示画面の変化を無くすることにしても良い。
【００９０】
また、本発明は以下の付記に記載されるような構成が考えられる。
【００９１】
付記１として、デジタルテレビ受像装置に使用される映像信号制御方法であって、アナログ映像信号からデジタル化された信号を画像処理する画像処理ステップと、前記画像処理された画像データを格納する記憶ステップと、前記アナログ映像信号における単位フレームの垂直ライン数を計測する計測ステップと、計測された前記垂直ライン数を基準垂直ライン数と比較する比較ステップと、前記単位フレームのフィールドが不足する領域に所定の色を挿入する挿入色指定ステップと、色が挿入された前記単位フレームに基づき、前記画像データを表示部に送出する送出ステップとを有することを特徴とする映像信号制御方法。
【００９２】
付記２として、デジタルテレビ受像装置に使用される映像信号制御方法であって、アナログ映像信号からデジタル化された信号を画像処理する画像処理ステップと、前記画像処理された画像データを格納する記憶ステップと、前記アナログ映像信号から単位フレームの垂直ライン数を計測する計測ステップと、計測された前記垂直ライン数を基準垂直ライン数と比較する比較ステップと、前記単位フレームのフィールドに所定の背景色を設置する背景色指示ステップと、前記背景色に前記単位フレームの前記画像データを重ね合わせる重畳ステップと、背景色を有する前記単位フレームに基づき、前記画像データを表示部に送出する送出ステップとを有することを特徴とする映像信号制御方法。
【００９３】
付記３として、前記比較ステップを複数回実施後、前記挿入色指定ステップを実施することを特徴とする映像信号制御方法。
【００９４】
付記４として、前記比較ステップを複数回実施後、背景色指示ステップを実施することを特徴とする映像信号制御方法。
【００９５】
付記５として、請求項１、請求項２及び請求項３の映像信号制御用装置のうち、いずれか１つを有するデジタルテレビ。
【００９６】
また、本発明の映像信号制御用装置は、上記各実施例に示された半導体装置に限定されるものではなく、請求項に記載された構成を有する他の形態のや、デジタルテレビ受像装置も含まれるものである。
【図面の簡単な説明】
【００９７】
【図１】本発明による映像信号制御用装置の第１の実施例における主要部分のブロック構成図。
【図２】本発明による映像信号制御用装置の第１の実施例における同期信号生成のタイミングチャート。
【図３】本発明による映像信号制御用装置の第１の実施例におけるフォーマット変換回路によるスケーリングを示す平面の模式図。
【図４】本発明による映像信号制御用装置の第１の実施例における信号処理の動作手順を示すフロー図。
【図５】本発明による映像信号制御用装置の第２の実施例における主要部分のブロック構成図。
【図６】本発明による映像信号制御用装置の第２の実施例における色指定回路の主要部分を示す回路ブロック構成図。
【図７】本発明による映像信号制御用装置の第２の実施例における色指定回路による塗り潰しを示す平面の模式図。
【図８】本発明による映像信号制御用装置の第２の実施例における信号処理の動作手順を示すフロー図。
【図９】本発明による映像信号制御用装置の第３の実施例における主要部分のブロック構成図。
【図１０】本発明による映像信号制御用装置の第３の実施例におけるマイクロコンピュータの主要部分を示す回路ブロック構成図。
【図１１】本発明による映像信号制御用装置の第３の実施例における重ね合わせ回路による画像データの領域設定を示す平面の模式図。
【図１２】本発明による映像信号制御用装置の第３の実施例における信号処理の動作手順を示すフロー図。
【符号の説明】
【００９８】
１０、１０ａ、１０ｂ  映像信号制御用半導体装置
１１  ＭＰＥＧデコード回路
１２  メモリ回路
１３  フォーマット変換回路
１３ａ  色指定回路
１３ｂ  重ね合わせ回路
１４  表示部
１５  Ａ／Ｄ変換回路
１６  画像処理回路
１７  同期回路
１８  ライン数検出回路
１９  第１のマイクロコンピュータ
１９ａ  第２のマイクロコンピュータ
１９ｂ  第３のマイクロコンピュータ
１９ｃ  ＣＰＵ
１９ｄ  背景色用メモリ回路
２１  比較回路
２２  セレクタ
２３  色指定用メモリ回路
【図１】
2005309298.tif 000003
【図２】
2005309298.tif 000004
【図３】
2005309298.tif 000005
【図４】
2005309298.tif 000006
【図５】
2005309298.tif 000007
【図６】
2005309298.tif 000008
【図７】
2005309298.tif 000009
【図８】
2005309298.tif 000010
【図９】
2005309298.tif 000011
【図１０】
2005309298.tif 000012
【図１１】
2005309298.tif 000013
【図１２】
2005309298.tif 000014